(57)【要約】【課題】  内部における流下性能に優れ、脈動などによる曲げ応力が繰り返し作用したとしても分岐管部の分岐方向内側のコーナー部、又は屈曲部の屈曲方向内側コーナー部における疲労破壊が、長期に亘って軽減又は防止され、重量が極力抑えられた管継手を提供する。【解決手段】  この管継手１は、本体部３と前記本体部と交差するように接続された分岐管部２との間のコーナー部分Ｃ、または、屈曲部の屈曲方向内側コーナー部分を、それぞれ、開口端４からストッパー段部５までの間の所要の範囲に亘って、外周面の頂部の曲率半径を周方向頂部に行くにしたがって増肉前の半径よりも徐々に大きくして頂部に向かって滑らかに膨出した湾曲形状が形成されるよう増肉１０するものであるので、脈動などによる曲げ応力が繰り返し作用したとしても、コーナー部分における疲労破壊が長期に亘って軽減又は防止され、管継手全体の重量が極力抑えられる。【選択図】      図１
2015203430.tif 000002
【特許請求の範囲】
【請求項１】
両端部に受口を有する直管状の本体部と、前記受口間に、前記本体部と交差するように接続された分岐管部からなるＴ字状の管継手であって、
前記本体部と前記分岐管部との間のコーナー部分を、前記本体部の開口端からストッパー段部までの間の所要の範囲に亘って、外周面の頂部の曲率半径を周方向頂部に行くにしたがって増肉前の半径よりも徐々に大きくなるようにして、頂部に向かって滑らかに膨出した湾曲形状が形成されるよう増肉させたこと
を特徴とするＴ字状の管継手。
【請求項２】
前記開口端からストッパー段部までの長さの、少なくとも２分の１の範囲に亘って増肉させたこと
を特徴とする請求項１に記載のＴ字状の管継手。
【請求項３】
前記曲率半径を、
増肉前の半径よりも１．１６倍以上大きくしたこと
を特徴とする請求項１又は２に記載のＴ字状の管継手。
【請求項４】
前記曲率半径が開口側に向かって漸次小さくなるように増肉させることによって、開口端を開口側に傾斜させること
を特徴とする請求項１〜３のいずれかに記載のＴ字状の管継手。
【請求項５】
両端部に受口を有する直管状の本体部と、前記受口間に、前記本体部と交差するように接続された分岐管部からなるＴ字状の管継手であって、
前記本体部と前記分岐管部との間のコーナー部分を、開口端からストッパー段部までの外周面の頂部の曲率半径を、開口側に向かって漸次小さくなるように増肉させること
を特徴とするＴ字状の管継手。
【請求項６】
前記開口端からストッパー段部までの長さの、少なくとも２分の１の範囲に亘って、外周面の頂部の曲率半径を増肉前の半径よりも１．１６倍以上大きくして、頂部に向かって膨出するよう増肉させたこと
を特徴とする請求項５に記載のＴ字状の管継手。
【請求項７】
両端部に受口を有し、前記受口間に屈曲部を有するＬ字状の管継手であって、
前記屈曲部の屈曲方向内側コーナー部分を、開口端からストッパー段部までの間の所要の範囲に亘って、外周面の頂部の曲率半径を周方向頂部に行くにしたがって増肉前の半径よりも徐々に大きくなるようにして、頂部に向かって滑らかに膨出した湾曲形状が形成されるよう増肉させたこと
を特徴とするＬ字状の管継手。
【請求項８】
前記開口端からストッパー段部までの長さの、少なくとも２分の１の範囲に亘って増肉させたこと
を特徴とする請求項７に記載のＬ字状の管継手。
【請求項９】
前記曲率半径を、
増肉前の半径よりも１．１６倍以上大きくしたこと
を特徴とする請求項７又は８に記載のＬ字状の管継手。
【請求項１０】
前記曲率半径が開口側に向かって漸次小さくなるように増肉させることによって、開口端を開口側に傾斜させること
を特徴とする請求項７〜９のいずれかに記載のＬ字状の管継手。
【請求項１１】
両端部に受口を有し、前記受口間に屈曲部を有するＬ字状の管継手であって、
前記屈曲部の屈曲方向内側コーナー部分を、開口端からストッパー段部までの外周面の頂部の曲率半径を、開口側に向かって漸次小さくなるように増肉させたこと
を特徴とするＬ字状の管継手。
【請求項１２】
前記屈曲部の屈曲方向内側コーナー部分を、開口端からストッパー段部までの長さの少なくとも２分の１の範囲に亘って、外周面の頂部の曲率半径を、増肉前の半径よりも１．１６倍以上大きくして、頂部に向かって膨出するよう増肉させたこと
を特徴とする請求項１１に記載のＬ字状の管継手。
【発明の詳細な説明】
【技術分野】
【０００１】
この発明は、管継手に関するものである。
より詳しくは、重量が極力抑えられ、内部における流下性能を低下させることもなく、脈動などによる曲げ応力が繰り返し作用したとしても、コーナー部分における疲労破壊を長期に亘って軽減又は防止することのできる管継手に関するものである。
【背景技術】
【０００２】
管継手として、２つの受口間に分岐部を有するＴ字状のものや、２つの受口間に屈曲部を有するＬ字状のものなどが、圧力が高い流体、例えば、水道用やプラント用の配管に用いられている。
【０００３】
かかる管継手においては、受口に接続管を嵌合接続した状態で、配管内部に正の静水圧が繰り返し掛かった場合に、分岐部の分岐方向内側のコーナー部（分岐部を首、分岐部の両側を肩としたとき、首と肩との付け根部）、又は屈曲部の屈曲方向内側コーナー部に応力が集中するとともに、その応力が他の部分に比べて大きいと考えられている。
特に、前記分岐部の分岐方向内側のコーナー部、又は屈曲部の屈曲方向内側コーナー部に応力が集中することで、内部にクラックが発生し、発生したクラックが外面にまで成長して継手が破壊されてしまうという問題があった。
このような問題を解決するため、種々の管継手が提案されている。
【０００４】
例えば、特許第４３２０１９０号公報（特許文献１）においては、
曲折部を有する管継手本体の両端縁部に、断面円形の管を接続可能な管接続部が設けられたＬ字状エルボ型の管継手であって、
前記管継手本体の両管接続部側の端縁部において、
前記両管接続部の管軸を共に含む平面と交わる、相対する内面部分間の距離Ｄ１が、前記平面から最も遠くなる、相対する内面部分間の距離Ｄ２よりも小さく、
かつ、その距離の差Ｄ２−Ｄ１が、前記接続すべき管の厚さの半分以上２倍以下の範囲となる関係を満たすような内面形状とされていること
を特徴とする管継手が提案されている。
【０００５】
この管継手は、管継手本体のもっとも歪んだ状態になり易い中央部の断面内面形状を、真円に近づけることができるので、水力的応力が低減し、しかも、管継手部に管を接続するメカニズムに支障をきたすこともない、とされている。
【０００６】
一方、特開昭４８−５０１６号公報（特許文献２）においては、
プラスチック製フィッチングは、管状物体の端部を摺動自在に受け入れる第１ソケット部を形成する壁より構成し、
前記壁は、前記ソケット部の内側端に近接する第１壁厚、および該ソケット部の外側端に近接し、前記第１壁厚よりも実質的に薄い第２壁厚をもち、
前記第１壁厚は、ソケット部内に受け入れられる管状物体の壁厚に関連して、前記ソケット部の内側端に近接する領域において、前記フィッチングを十分に補強すること
を特徴とする補強されたプラスチック製フィッチングが提案されている。
【０００７】
この補強されたプラスチック製フィッチングは、比較的高圧流体の輸送用配管装置に使用されるときでも、従来の実質的に均等な壁厚をもったプラスチック製フィッチングのような損害が起こらない、とされている。
【０００８】
さらに、特開２００７−１９８５３４号公報（特許文献３）においては、
直管状の本体部および前記本体部に交差して接続された分岐管部からなり、本体部の両端部および分岐管部の端部に、それぞれ受け口が形成されたＴ字状の管継手において、
本体部の各受け口と分岐管部の受け口との間の内隅部分を、各受け口の長さの最大１／３の範囲にわたって、各受け口に接続される樹脂管の肉厚の最大１００％増肉したこと
を特徴とする管継手が提案されている。
【０００９】
この管継手は、前記樹脂管が、受け口の規定位置まで完全に挿入されていない場合であっても、熱伸縮などに伴う曲げ応力による受け口の規定位置近傍の疲労破壊を、確実に防止することができる、とされている。
【先行技術文献】
【特許文献】
【００１０】
【特許文献１】特許第４３２０１９０号公報（特許請求の範囲，図１〜４）
【特許文献２】特開昭４８−５０１６号公報（特許請求の範囲，図１）
【特許文献３】特開２００７−１９８５３４号公報（特許請求の範囲，図１）
【発明の開示】
【発明が解決しようとする課題】
【００１１】
前記特許文献１に開示されている管継手は、その両端縁部に、断面円形の管を接続可能な管接続部が設けられ、その内面形状は楕円形状であるので、水力的応力は低減できる。
しかしながら、接続管の厚みは成形条件によってバラツキがあるので、このような内面形状を有することによって、継手内部における流下性能の低下につながる場合があった。
【００１２】
前記特許文献２及び３に開示されている管継手は、本体部の受け口と分岐管部の受け口との間の内隅部分、屈曲部の内隅部分を増肉するものである。
したがって、管接続部の周囲全体を増肉した場合には、継手本体の重量が大きくなり、製造コストがかかる。
特に、従来の管継手は、図１０に示すように、本体部２０３の中央部に一体的に立設される分岐管２０２の軸方向において相対するコーナー部Ｃから開口部２０４に向かう斜線部分２１０に大きな負荷が作用し、最も損傷し易い部位である。
【００１３】
この発明はかかる現状に鑑み、内部における流下性能に優れ、脈動などによる曲げ応力が繰り返し作用したとしても、分岐部の分岐方向内側のコーナー部又は屈曲部の屈曲方向内側コーナー部における負荷を分散させることによって、疲労による破壊を長期に亘って軽減又は防止し、かつ全体の重量の増加を極力抑えることのできる管継手を提供せんとするものである。
【課題を解決するための手段】
【００１４】
すなわち、この発明にかかる請求項１に記載の発明は、
両端部に受口を有する直管状の本体部と、前記受口間に、前記本体部と交差するように接続された分岐管部からなるＴ字状の管継手であって、
前記本体部と前記分岐管部との間のコーナー部分を、前記本体部の開口端からストッパー段部までの間の所要の範囲に亘って、外周面の頂部の曲率半径を周方向頂部に行くにしたがって増肉前の半径よりも徐々に大きくなるようにして、頂部に向かって滑らかに膨出した湾曲形状が形成されるよう増肉させたこと
を特徴とするＴ字状の管継手である。
【００１５】
この発明の請求項２に記載の発明は、
請求項１に記載のＴ字状の管継手において、
前記開口端からストッパー段部までの長さの、少なくとも２分の１の範囲に亘って増肉させたこと
を特徴とするものである。
【００１６】
この発明の請求項３に記載の発明は、
請求項１又は２に記載のＴ字状の管継手において、
前記曲率半径を、
増肉前の半径よりも１．１６倍以上大きくしたこと
を特徴とするものである。
【００１７】
この発明の請求項４に記載の発明は、
請求項１〜３のいずれかに記載のＴ字状の管継手において、
前記曲率半径が開口側に向かって漸次小さくなるように増肉させることによって、開口端を開口側に傾斜させること
を特徴とするものである。
【００１８】
この発明の請求項５に記載の発明は、
両端部に受口を有する直管状の本体部と、前記受口間に、前記本体部と交差するように接続された分岐管部からなるＴ字状の管継手であって、
前記本体部と前記分岐管部との間のコーナー部分を、開口端からストッパー段部までの外周面の頂部の曲率半径を、開口側に向かって漸次小さくなるように増肉させること
を特徴とするＴ字状の管継手である。
【００１９】
この発明の請求項６に記載の発明は、
請求項５に記載のＴ字状の管継手において、
前記開口端からストッパー段部までの長さの、少なくとも２分の１の範囲に亘って、外周面の頂部の曲率半径を増肉前の半径よりも１．１６倍以上大きくして、頂部に向かって膨出するよう増肉させたこと
を特徴とするものである。
【００２０】
この発明の請求項７に記載の発明は、
両端部に受口を有し、前記受口間に屈曲部を有するＬ字状の管継手であって、
前記屈曲部の屈曲方向内側コーナー部分を、開口端からストッパー段部までの間の所要の範囲に亘って、外周面の頂部の曲率半径を周方向頂部に行くにしたがって増肉前の半径よりも徐々に大きくなるようにして、頂部に向かって滑らかに膨出した湾曲形状が形成されるよう増肉させたこと
を特徴とするＬ字状の管継手である。
【００２１】
この発明の請求項８に記載の発明は、
請求項７に記載のＬ字状の管継手において、
前記開口端からストッパー段部までの長さの、少なくとも２分の１の範囲に亘って増肉させたこと
を特徴とするものである。
【００２２】
この発明の請求項９に記載の発明は、
請求項７又は８に記載のＬ字状の管継手において、
前記曲率半径を、
増肉前の半径よりも１．１６倍以上大きくしたこと
を特徴とするものである。
【００２３】
この発明の請求項１０に記載の発明は、
請求項７〜９のいずれかに記載のＬ字状の管継手において、
前記曲率半径が開口側に向かって漸次小さくなるように増肉させることによって、開口端を開口側に傾斜させること
を特徴とするものである。
【００２４】
この発明の請求項１１に記載の発明は、
両端部に受口を有し、前記受口間に屈曲部を有するＬ字状の管継手であって、
前記屈曲部の屈曲方向内側コーナー部分を、開口端からストッパー段部までの外周面の頂部の曲率半径を、開口側に向かって漸次小さくなるように増肉させたこと
を特徴とするＬ字状の管継手である。
【００２５】
この発明の請求項１２に記載の発明は、
請求項１１に記載のＬ字状の管継手において、
前記屈曲部の屈曲方向内側コーナー部分を、開口端からストッパー段部までの長さの少なくとも２分の１の範囲に亘って、外周面の頂部の曲率半径を、増肉前の半径よりも１．１６倍以上大きくして、頂部に向かって膨出するよう増肉させたこと
を特徴とするものである。
【発明の効果】
【００２６】
この発明の管継手は、Ｔ字状の管継手にあっては、本体部と前記本体部と交差するように接続された分岐管部との間のコーナー部分を、Ｌ字状の管継手にあっては、屈曲部の屈曲方向内側コーナー部分を、それぞれ、開口端からストッパー段部までの間の所要の範囲に亘って、好ましくは開口端からストッパー段部までの長さの少なくとも２分の１の範囲に亘って、管軸と直交する方向に向かって、より具体的には、外周面の頂部の曲率半径を周方向頂部に行くにしたがって増肉前の半径よりも徐々に大きくなるようにして頂部に向かって滑らかに膨出した湾曲形状が形成されるよう増肉させたものである。
したがって、脈動などによる曲げ応力が繰り返し作用したとしても、外周面は頂部に向かって滑らかに膨出した湾曲形状を有するため、曲げ応力が局所的に集中することなく、コーナー部に作用する負荷（応力）が周方向に沿って管継手全体に分散されるので、疲労破壊が長期に亘って軽減されるか又は防止され、かつ増肉部が全周ではないので、管継手全体の重量を極力抑えることができる。
さらに、この管継手は、前記構成を有するので、全体の外観を滑らかにし、円形に近い形態を保持することができる。
【００２７】
さらに、コーナー部分は、外側（頂部）に向かって増肉され、内側に向かって増肉されるものではないので、管継手の断面内面形状は真円として形成されうる。
したがって、この発明の管継手は、管継手内部における流下性能を低下させることもないものである。
【図面の簡単な説明】
【００２８】
【図１】この発明の管継手の一実施形態を示した断面図である。
【図２】図１に示した管継手の平面図である。
【図３】図１に示した管継手の左側面図である。
【図４】図１に示した管継手のＢ−Ｂ’方向の断面図である。
【図５】図１に示した管継手のＡ−Ａ’方向の断面図である。
【図６】この発明の管継手の他の実施形態を示した断面図である。
【図７】図６に示した管継手のＥ−Ｅ’方向の断面図である。
【図８】従来の管継手の一例を示した断面図である。
【図９】図８に示した管継手のＦ−Ｆ’方向の断面図である。
【図１０】図８に示した管継手の平面図である。
【発明を実施するための形態】
【００２９】
以下、この発明の管継手の実施の一例を、図面に基づいて説明する。
なお、この発明は図示したものに限定されず、発明の要旨を変更しない範囲内において種々改良を加えることができるものである。
【００３０】
図１において、管継手１は、いわゆるＴ字状の管継手（チーズ型継手）であって、両端部に受口６，６を有する直管状の本体部３と、前記受口６，６間に前記本体部３と交差するように接続された分岐管部２とで構成されている。
【００３１】
前記本体部３と前記分岐管部２との間のコーナー部分Ｃは、開口部４からストッパー段部５までの間の所要の範囲に亘って増肉される。
すなわち、前記コーナー部分Ｃの開口端からストッパー段部までの長さの一部を、増肉させる。
この実施例においては、図１に示すように、前記本体部３と前記分岐管部２との間の各コーナー部分Ｃは、受口６の開口部４からストッパー段部５までの長さの２分の１の範囲に亘って、また、受口７の開口部８からストッパー段部９までの、長さの少なくとも２分の１の範囲に亘って、肉厚が厚くなるよう形成（増肉）されている。
【００３２】
この発明にかかる管継手１は、図２、３及び５に示すように、従来の管継手と同様、断面内面形状は真円として形成されている。
したがって、この発明の管継手は、従来の管継手と同様、管継手内部における流下性能を低下させることがない。
【００３３】
さらに、図４及び５に示すように、管継手１の断面Ａ−Ａ’及びＢ−Ｂ’においては、本体部３の外周面の頂部のＸ点の曲率半径ｒ１を、周方向頂部Ｘ点に行くにしたがって増肉前の頂部（Ｙ点）の半径（外径）ｒ２よりも徐々に大きくなるようにすることで、頂部Ｘ点方向に滑らかに膨出した湾曲形状を有する膨出部が増肉部１０として形成され、断面外面形状は略卵型の楕円形となっている。
すなわち、増肉前の外径ｒ２から曲率半径ｒ１に延長した分だけ増肉されて、増肉部１０が形成されている。
したがって、増肉部が部分的であるので、管継手の総重量を増やすことなく、その強度を向上させることができると同時に、増肉部は、曲率半径ｒ１が周方向頂部Ｘ点に行くにしたがって増肉前の外径ｒ２よりも徐々に大きくなるようにして、形成されているので、曲げ応力が局所的に集中することなく、当該部位に作用する負荷を周方向に沿って管継手全体に分散させるとともに、全体の外観を滑らかにすることができる。
【００３４】
この実施例においては、図４において、曲率半径ｒ１＝３９．５ｍｍで、曲率半径ｒ２＝３４ｍｍで、曲率半径ｒ１を、増肉前の外径ｒ２の１．１６倍に延長することで肉厚を厚くしている。
曲率半径ｒ１を、外径ｒ２の少なくとも１．１６倍となるように肉厚を厚くすることによって、極めて高い確率で、より長期に疲労破壊を軽減又は防止できる。
なお、増肉については、曲率半径ｒ１を増肉前の外径ｒ２の好ましくは１．１６倍以上、より好ましくは１．１６倍〜４倍、さらに好ましくは１．１６倍〜２倍となるようにする。
【００３５】
さらに、前記分岐管部２についても、上記本体部３の場合と同様に増肉すればよい。
【００３６】
以上の構成によって、この発明の管継手は、管継手全体の重量が極力抑えられ、脈動などによる曲げ応力が繰り返し作用したとしても、各コーナー部分における疲労破壊が長期に亘って軽減されるか又は防止される。
【００３７】
なお、前記曲率半径を、開口側に向かって漸次小さくなるように増肉させることによって、開口端を開口側に傾斜させるようにしてもよい。
【００３８】
かかる管継手の材質としては、塩化ビニル、ＦＲＰ、ポリエチレンなどを挙げることができ、特に限定されない。
同様に、この管継手に接続されるパイプの材質についても、特に限定されない。
【００３９】
図６における管継手１０１は、いわゆるＬ字状の管継手（エルボ型継手）であって、端部にそれぞれ受口１０６，１０７を有し、前記受口１０６，１０７間に所要角度で屈曲した屈曲部１０２を有する。
【００４０】
この管継手１０１においては、前記屈曲部１０２の内側コーナー部分Ｃは、開口部１０４の端部からストッパー段部１０５までの間と、受口１０７の開口部１０８の端部からストッパー段部１０９までの間のそれぞれにおいて、所要の範囲に亘って増肉されている。
この実施例においては、前記屈曲部１０２のコーナー部分Ｃは、受口１０６の開口部１０４の端部からストッパー段部１０５までの長さの少なくとも２分の１の範囲と、受口１０７の開口部１０８の端部からストッパー段部１０９までの長さの少なくとも２分の１の範囲に亘って、肉厚が厚くなるよう増肉されて増肉部１１０が形成されている。
【００４１】
さらに、図７に示すように、この管継手１０１の断面形状も、従来の管継手と同様真円として形成されている。
したがって、この管継手１０１も、管継手内部における流下性能を低下させることがない。
【００４２】
前記管継手１０１の断面Ｅ−Ｅ’は、屈曲部１０２の内側のコーナー部分Ｃの近傍の外周面の頂部のＰ点の曲率半径ｒ１を、周方向頂部Ｐ点に行くにしたがって増肉前の頂部（Ｑ点）の半径（外径）ｒ２よりも徐々に大きくなるようにしてＰ点方向に滑らかに膨出した湾曲形状を形成させ、断面外面形状が略卵型の楕円形となるようにしている。
すなわち、増肉前の外径ｒ２から曲率半径ｒ１に延長した分だけ増肉されて、増肉部１１０が形成されている。
したがって、増肉部が部分的であるので、管継手の総重量を増やすことなく、その強度を向上させることができる。
同時に、増肉部は、曲率半径ｒ１が周方向頂部Ｐ点に行くにしたがって、増肉前の外径ｒ２よりも徐々に大きくなるようにして、形成されているので、曲げ応力が局所的に集中することなく、当該部位に作用する負荷を周方向に沿って管継手全体に分散させるとともに、全体の外感を滑らかにすることができる。
【００４３】
この実施例においては、図７において、曲率半径ｒ１＝３９．５ｍｍで、外径ｒ２＝３４ｍｍであり、曲率半径ｒ１が外径ｒ２の１．１６倍となるように増肉され、増肉部１１０が形成されている。
したがって、曲率半径ｒ１が外径ｒ２の少なくとも１．１６倍となるように肉厚を厚くすることによって極めて高い確率で、より長期に疲労破壊を軽減又は防止できる。
なお、増肉に際しては、曲率半径ｒ１を、増肉前の外径ｒ２の好ましくは１．１６倍以上、より好ましくは１．１６倍〜４倍、さらに好ましくは１．１６倍〜２倍となるようにする。
【００４４】
以上の構成によって、この発明の管継手では、管継手全体の重量が極力抑えられ、脈動などによる曲げ応力が繰り返し作用したとしても、屈曲部の屈曲方向内側コーナー部分における疲労破壊が長期に亘って軽減されるか又は防止される。
【００４５】
さらに、前記曲率半径を開口側に向かって漸次小さくなるように増肉させることにより、開口端を開口側に傾斜させるようにしてもよい。
【００４６】
かかる管継手の材質としては、塩化ビニル、ＦＲＰ、ポリエチレンなどを挙げることができ、特に限定されない。
同様に、この管継手に接続されるパイプの材質についても、特に限定されない。
【００４７】
さらに、管継手の屈曲部の角度については、特に限定されない。
【実施例】
【００４８】
以下、この発明の管継手の実施例を、Ｔ字状の管継手を中心に説明する。
なお、この発明は図示したものに限定されず、発明の要旨を変更しない範囲内において種々改良を加えることができるものである。
【００４９】
＜実施例１＞
所定の塩化ビニル樹脂管に対応するＴＳ接合式受口を両端縁部に備える本体部（ｄ１＝６３ｍｍ，ｄ２＝３３ｍｍ，ｄ３＝３０．４ｍｍ，ｄ４＝３４ｍｍ，ｄ５＝３９．５ｍｍ，ｄ６＝３６ｍｍ）と、所定の塩化ビニル樹脂管に対応するＴＳ接合式受口を備える分岐管部（Ｄ１＝６３ｍｍ，Ｄ２＝３３ｍｍ，Ｄ３＝３０．４ｍｍ，Ｄ４＝３９ｍｍ）からなる、図１に示すＴ字状の管継手を製造した。
【００５０】
＜比較例１＞
所定の塩化ビニル樹脂管に対応するＴＳ接合式受口を両端縁部に備える本体部（ｄ１＝６３ｍｍ，ｄ３＝３０．４ｍｍ，ｄ４＝３４ｍｍ，ｄ６＝３６ｍｍ）と、所定の塩化ビニル樹脂管に対応するＴＳ接合式受口を備える分岐管部（Ｄ１＝６３ｍｍ，Ｄ３＝３０．４ｍｍ，Ｄ４＝３４ｍｍ）からなる、図８に示すＴ字状の管継手を製造した。
【００５１】
＜評価例＞
実施例１における管継手（本発明品）と、比較例１における管継手（従来品）の耐久性を、脈動水圧疲労試験（ＡＳＲ  Ｔ  ５２）（温度２０℃，正弦波）によって評価した。
その結果を、表１に示す。
【００５２】
【表１】
2015203430.tif 000003
【００５３】
この発明品の耐久性は、従来品の耐久性よりも約１．４倍高いことが分かった。
さらに、この発明品においては、破壊されるまでの回数の値のバラツキは、従来品のものに比べて小さく、安定した性能が発揮されていることも分かる。
したがって、この発明の管継手の優れた特性は、各コーナー部分の肉厚を、開口端からストッパー段部までの長さの少なくとも２分の１の範囲に亘って、外周面の頂部の曲率半径を周方向頂部に行くにしたがって増肉前の半径よりも徐々に大きくなるようにして、頂部に向かって滑らかに膨出した湾曲形状が形成されるよう増肉させたことによるものであることは明らかである。
【産業上の利用可能性】
【００５４】
この発明は、例えば、水道用やプラント用の配管に用いられる管継手に関するもので、重量が極力抑えられ、内部における流下性能を低下させることもなく、脈動などによる曲げ応力が繰り返し作用したとしても、コーナー部分における疲労破壊が従来に比して長期に亘って軽減又は防止される。
したがって、水道用やプラント用などの配管に適用できる管継手として幅広く利用されるものである。
【符号の説明】
【００５５】
１          管継手
２          分岐管部
３          本体部
４          開口部
５          ストッパー段部
６          受口
７          受口
８          開口部
９          ストッパー段部
１０          増肉部
１１          頂部
１０１          管継手
１０２          屈曲部
１０４          開口部
１０５          ストッパー段部
１０６          受口
１０７          受口
１０８          開口部
１０９          ストッパー段部
１１０          増肉部
２０１          管継手
２０２          分岐管部
２０３          本体部
２０４          開口部
２０５          ストッパー段部
２０６          受口
２０７          受口
２０８          開口部
２０９          ストッパー段部
Ｃ          コーナー部分
Ｘ，Ｐ          頂部
Ｙ，Ｑ          増肉前の頂部
【図１】
2015203430.tif 000004
【図２】
2015203430.tif 000005
【図３】
2015203430.tif 000006
【図４】
2015203430.tif 000007
【図５】
2015203430.tif 000008
【図６】
2015203430.tif 000009
【図７】
2015203430.tif 000010
【図８】
2015203430.tif 000011
【図９】
2015203430.tif 000012
【図１０】
2015203430.tif 000013